(57)【要約】      （修正有）【課題】ユーザによる切替操作に基づく警備装置による警備モードの切替結果の履歴を、チャット画面上でメッセージとして把握させるとともに、現在の警備モードを常に把握させる。【解決手段】警備システムは、複数の警備モードにより警備対象を警備する警備装置と、警備装置と通信可能な携帯端末とを有する。警備装置は、ユーザによる切替操作に基づいて警備モードを切替え、切替結果を携帯端末へ送信する。携帯端末は、警備モードの切替設定に関するモード設定メッセージを含む複数のメッセージを、チャット画面上に時系列に表示し、モード設定メッセージ以外の新たなメッセージがチャット画面上に追加表示され、現在の警備モードへの切替設定を示す最新のモード設定メッセージがチャット画面上の表示領域外となる場合に、チャット画面上に表示されている他のメッセージを省略して、最新のモード設定メッセージをチャット画面上の表示領域内に残存させる。【選択図】図１２
2018169663.tif 000002
【特許請求の範囲】
【請求項１】
複数の警備モードにより警備対象を警備する警備装置と、前記警備装置と通信可能な携帯端末と、を具備する警備システムであって、
前記警備装置は、
ユーザによる警備モードの切替操作に基づいて前記警備モードを切替え、当該切替結果を示すモード切替信号を前記携帯端末へ送信する警備モード制御手段を有し、
前記携帯端末は、
前記モード切替信号に基づく前記警備モードの切替設定に関するモード設定メッセージを少なくとも含む複数のメッセージを、チャット画面上に時系列に表示する表示制御手段を有し、
前記表示制御手段は、前記モード設定メッセージ以外の新たなメッセージが前記チャット画面上に追加表示されることで、現在の警備モードへの切替設定を示す最新のモード設定メッセージが当該チャット画面上の表示領域外となる場合に、当該チャット画面上に表示されている他のメッセージを省略して、当該最新のモード設定メッセージを前記チャット画面上の表示領域内に残存させる
警備システム。
【請求項２】
複数の警備モードにより警備対象を警備する警備装置と通信可能な携帯端末であって、
ユーザの切替操作により切替えられた前記警備モードの切替結果を示すモード切替信号を前記警備装置から受信する受信手段と、
前記モード切替信号に基づく前記警備モードの切替設定に関するモード設定メッセージを少なくとも含む複数のメッセージを、チャット画面上に時系列に表示する表示制御手段とを有し、
前記表示制御手段は、前記モード設定メッセージ以外の新たなメッセージが前記チャット画面上に追加表示されることで、現在の警備モードへの切替設定を示す最新のモード設定メッセージが当該チャット画面上の表示領域外となる場合、当該チャット画面上に表示されている他のメッセージを省略して、当該最新のモード設定メッセージを前記チャット画面上の表示領域内に残存させる
携帯端末。
【請求項３】
請求項２に記載の携帯端末であって、
前記ユーザによる前記表示領域の変更操作の入力を受け付ける表示操作手段を更に具備し、
前記表示制御手段は、前記変更操作により前記チャット画面上に表示されるメッセージが変更されることで、前記最新のモード設定メッセージが当該チャット画面上の表示領域外となる場合、当該最新のモード設定メッセージを前記他のメッセージに代えて前記チャット画面上の表示領域内に残存させる
携帯端末。
【請求項４】
請求項２または３に記載の携帯端末であって、
前記表示制御手段は、前記モード設定メッセージとして、前記現在の警備モードを示す情報と、前記切替操作を行ったユーザ及び時刻のうち少なくとも一方を含む操作情報とを前記チャット画面上に表示させる
携帯端末。
【請求項５】
請求項２乃至４のいずれかに記載の携帯端末であって、
表示制御手段は、前記省略したメッセージの存在を示す情報を前記チャット画面上に表示する
携帯端末。
【請求項６】
請求項２乃至５のいずれかに記載の携帯端末であって、
前記ユーザによる前記警備モードの切替操作の入力を受け付ける操作入力手段と、
前記入力された切替操作に基づいて、前記警備装置へ前記警備モードの切替要求信号を送信する通信手段と、をさらに具備し、
前記表示制御手段は、前記モード設定メッセージとして、前記入力された切替操作を示すモード操作メッセージ、または、当該携帯端末または他の携帯端末から送信された前記切替要求信号に基づく前記警備モードの切替結果を示すモード切替メッセージを前記チャット画面上に表示する
携帯端末。
【請求項７】
請求項２乃至６のいずれかに記載の携帯端末であって、
前記表示制御手段は、前記複数のメッセージのうち、前記最新のモード設定メッセージを強調表示する
携帯端末。
【請求項８】
複数の警備モードにより警備対象を警備する警備装置と通信可能な携帯端末に、
ユーザの切替操作により切替えられた前記警備モードの切替結果を示すモード切替信号を前記警備装置から受信する処理と、
前記モード切替信号に基づく前記警備モードの切替設定に関するモード設定メッセージを少なくとも含む複数のメッセージを、チャット画面上に時系列に表示する処理と、
前記モード設定メッセージ以外の新たなメッセージが前記チャット画面上に追加表示されることで、現在の警備モードへの切替設定を示す最新のモード設定メッセージが当該チャット画面上の表示領域外となる場合に、当該チャット画面上に表示されている他のメッセージを省略して、当該最新のモード設定メッセージを前記チャット画面上の表示領域内に残存させる処理と
を実行させるプログラム。
【請求項９】
複数の警備モードにより警備対象を警備する警備装置と、前記警備装置と通信可能な携帯端末と、を用いた警備メッセージの表示方法であって、
前記警備装置により、ユーザによる警備モードの切替操作に基づいて前記警備モードを切替え、当該切替結果を示すモード切替信号を前記携帯端末へ送信し、
前記携帯端末により、
前記モード切替信号に基づく前記警備モードの切替設定に関するモード設定メッセージを少なくとも含む複数のメッセージを、チャット画面上に時系列に表示し、
前記モード設定メッセージ以外の新たなメッセージが前記チャット画面上に追加表示されることで、現在の警備モードへの切替設定を示す最新のモード設定メッセージが当該チャット画面上の表示領域外となる場合に、当該チャット画面上に表示されている他のメッセージを省略して、当該最新のモード設定メッセージを前記チャット画面上の表示領域内に残存させる
警備メッセージの表示方法。
【発明の詳細な説明】
【技術分野】
【０００１】
本発明は、住宅や事業所等の警備対象の警備に関する情報処理を実行可能な警備システム、携帯端末、プログラム及び警備メッセージの表示方法に関する。
【背景技術】
【０００２】
従来から、ユーザが自宅等の警備対象と離れた位置から携帯端末を用いて警備モードの遠隔切り替え操作を行うことが可能なシステムが知られている。例えば、下記特許文献１には、Ｗｅｂサーバが提供するホームページを介して、携帯端末からの警備装置への遠隔セット／解除操作を可能とし、警備装置がそのモード切替結果をＷｅｂサーバに通知することで、ホームページ上の現モード表示を更新することが開示されている。
【先行技術文献】
【特許文献】
【０００３】
【特許文献１】特開２００９−８６９４７号公報
【発明の概要】
【発明が解決しようとする課題】
【０００４】
しかしながら、上記特許文献１の技術では、ユーザは、携帯端末を用いた遠隔操作に基づいて警備装置がセットした結果としての現在の警備モードを、ホームページを介して把握することはできるものの、自身がどのような操作を行い、当該操作に基づいてどのように警備モードが切替わったかを即座に認識することはできない。また、ユーザは、自身が過去にどのような操作を行い、当該操作に基づいて現在までにどのように警備モードが切替わったかの履歴を認識することもできない。
【０００５】
以上のような事情に鑑み、本発明の目的は、ユーザの切替操作に基づく警備装置による警備モードの切替結果の履歴を、チャット画面上でメッセージとして把握させるとともに、チャット画面上で現在の警備モードを常に把握させることが可能な警備システム、携帯端末、プログラム及び警備メッセージの表示方法を提供することにある。
【課題を解決するための手段】
【０００６】
上記目的を達成するため、本発明の一形態に係る警備システムは、複数の警備モードにより警備対象を警備する警備装置と、上記警備装置と通信可能な携帯端末と、を有する。
上記警備装置は、ユーザによる警備モードの切替操作に基づいて上記警備モードを切替え、当該切替結果を示すモード切替信号を上記携帯端末へ送信する警備モード制御手段を有する。
上記携帯端末は、上記モード切替信号に基づく上記警備モードの切替設定に関するモード設定メッセージを少なくとも含む複数のメッセージを、チャット画面上に時系列に表示する表示制御手段を有する。当該表示制御手段は、上記モード設定メッセージ以外の新たなメッセージが上記チャット画面上に追加表示されることで、現在の警備モードへの切替設定を示す最新のモード設定メッセージが当該チャット画面上の表示領域外となる場合に、当該チャット画面上に表示されている他のメッセージを省略して、当該最新のモード設定メッセージを上記チャット画面上の表示領域内に残存させる。
【０００７】
本発明の他の形態に係る携帯端末は、複数の警備モードにより警備対象を警備する警備装置と通信可能であり、受信手段及び表示制御手段を有する。
上記受信手段は、ユーザの切替操作により切替えられた前記警備モードの切替結果を示すモード切替信号を前記警備装置から受信する。上記表示制御手段は、ユーザの上記モード切替信号に基づく上記警備モードの切替設定に関するモード設定メッセージを少なくとも含む複数のメッセージを、チャット画面上に時系列に表示する。また当該表示制御手段は、上記モード設定メッセージ以外の新たなメッセージが上記チャット画面上に追加表示されることで、現在の警備モードへの切替設定を示す最新のモード設定メッセージが当該チャット画面上の表示領域外となる場合に、当該チャット画面上に表示されている他のメッセージを省略して、当該最新のモード設定メッセージを上記チャット画面上の表示領域内に残存させる。
【０００８】
これにより携帯端末は、ユーザの切替操作に基づく警備装置による警備モードの切替結果の履歴を、チャット画面上でメッセージとして把握させるとともに、他のメッセージが追加表示されても現在の警備モードへの切替えに関するメッセージをチャット画面上の表示領域に残存させることで、チャット画面上で現在の警備モードを常に把握させることができる。
【０００９】
上記携帯端末は、上記ユーザによる上記表示領域の変更操作の入力を受け付ける表示操作手段を更に有してもよい。この場合上記表示制御手段は、上記変更操作により上記チャット画面上に表示されるメッセージが変更されることで、最新のモード設定メッセージが当該チャット画面上の表示領域外となる場合に、当該最新のモード設定メッセージを上記他のメッセージに代えて上記チャット画面上の表示領域内に残存させる。
【００１０】
これにより携帯端末は、ユーザによる表示領域の変更操作（スクロール操作等）があった場合にも、現在の警備モードを示すメッセージを表示領域に残存させることで、チャット画面上で現在の警備モードを常に把握させることができる。
【００１１】
上記表示制御手段は、上記モード設定メッセージとして、上記現在の警備モードを示す情報と、上記切替操作を行ったユーザ及び時刻のうち少なくとも一方を含む操作情報とを上記チャット画面上に表示させてもよい。
【００１２】
これにより携帯端末は、現在の警備モードのみならず、警備モードの切替えに関する情報としてユーザ及び時刻のうち少なくとも一方を常にユーザに把握させることができる。
【００１３】
表示制御手段は、上記省略したメッセージの存在を示す情報を上記チャット画面上に表示してもよい。
【００１４】
これにより携帯端末は、現在の警備モードを示すメッセージの残存表示によって他のメッセージが省略された場合でも、当該省略されたメッセージの存在をユーザに把握させることができる。
【００１５】
上記携帯端末は、上記ユーザによる上記警備モードの切替操作の入力を受け付ける操作入力手段と、上記入力された切替操作に基づいて、上記警備装置へ上記警備モードの切替要求信号を送信する通信手段と、をさらに有してもよい。この場合上記表示制御手段は、上記モード設定メッセージとして、上記入力された切替操作を示すモード操作メッセージ、または、当該携帯端末または他の携帯端末から送信された上記切替要求信号に基づく上記警備モードの切替結果を示すモード切替メッセージを上記チャット画面上に表示する。
【００１６】
これにより、警備装置の遠隔から携帯端末による切替操作が可能となるとともに、当該切替操作と、他のユーザの他の携帯端末による切替操作に基づく警備モードの切替結果とを、モード設定メッセージにより１つのチャット画面上でユーザに把握させ、かつ、現在の警備モードを容易に把握させることができる。
【００１７】
上記表示制御手段は、上記複数のメッセージのうち、上記最新のモード設定メッセージを強調表示してもよい。
【００１８】
この構成により携帯端末は、現在の警備モードに関するメッセージを強調表示することで、現在の警備モードをユーザに容易に認識させることができる。ここで、強調表示とは、例えばメッセージの表示領域である吹き出し（枠）を太くしたり、色を付けたり、当該吹き出しの背景の色を変えたり、メッセージを示す少なくとも一部のテキストのフォントを太くしたり、色を変えたりといった処理であるが、これらに限られない。
【００１９】
本発明の他の形態に係るプログラムは、複数の警備モードにより警備対象を警備する警備装置と通信可能な携帯端末に、
ユーザの切替操作により切替えられた前記警備モードの切替結果を示すモード切替信号を前記警備装置から受信する処理と、
上記モード切替信号に基づく上記警備モードの切替設定に関するモード設定メッセージを少なくとも含む複数のメッセージを、チャット画面上に時系列に表示する処理と、
上記モード設定メッセージ以外の新たなメッセージが上記チャット画面上に追加表示されることで、現在の警備モードへの切替設定を示す最新のモード設定メッセージが当該チャット画面上の表示領域外となる場合に、当該チャット画面上に表示されている他のメッセージを省略して、当該最新のモード設定メッセージを上記チャット画面上の表示領域内に残存させる処理と、を実行させる。
【００２０】
本発明の他の形態に係る警備メッセージの表示方法は、複数の警備モードにより警備対象を警備する警備装置と、上記警備装置と通信可能な携帯端末とを用いた警備メッセージの表示方法であって、
上記警備装置により、ユーザによる警備モードの切替操作に基づいて上記警備モードを切替え、当該切替結果を示すモード切替信号を上記携帯端末へ送信し、
上記携帯端末により、
上記モード切替信号に基づく上記警備モードの切替設定に関するモード設定メッセージを少なくとも含む複数のメッセージを、チャット画面上に時系列に表示し、
上記モード設定メッセージ以外の新たなメッセージが上記チャット画面上に追加表示されることで、現在の警備モードへの切替設定を示す最新のモード設定メッセージが当該チャット画面上の表示領域外となる場合に、当該チャット画面上に表示されている他のメッセージを省略して、当該最新のモード設定メッセージを上記チャット画面上の表示領域内に残存させる、ことを含む。
【発明の効果】
【００２１】
以上説明したように、本発明によれば、ユーザの切替操作に基づく警備装置による警備モードの切替結果の履歴を、チャット画面上でメッセージとして把握させるとともに、チャット画面上で現在の警備モードを常に把握させることができる。しかし、当該効果は本発明を限定するものではない。
【図面の簡単な説明】
【００２２】
【図１】本発明の一実施形態に係る警備システムの構成を示した図である。
【図２】本発明の一実施形態に係る警備装置のハードウェア構成を示した図である。
【図３】本発明の一実施形態に係るユーザ端末のハードウェア構成を示した図である。
【図４】本発明の一実施形態に係るユーザ端末が記憶する、ユーザ側のモード操作メッセージ情報に関するテーブルを示した図である。
【図５】本発明の一実施形態に係るユーザ端末が記憶する、警備装置側のモード切替メッセージ情報に関するテーブルを示した図である。
【図６】本発明の一実施形態に係るユーザ端末に表示される、警備モード切替操作画面の例を示した図である。
【図７】本発明の一実施形態に係るユーザ端末に表示される警備モード切替操作に対応したチャット画面の例を示した図である。
【図８】本発明の一実施形態に係る警備システムによる警備モード切替処理の流れを示したシーケンスである。
【図９】本発明の一実施形態に係るユーザ端末に表示される、警備モード切替操作時の画面の遷移例を示した図である。
【図１０】本発明の一実施形態に係るユーザ端末に表示される、警備モード切替操作時の画面の遷移例を示した図である。
【図１１】本発明の一実施形態に係るユーザ端末に表示される、警備モード切替操作時のチャット画面例を、異なるユーザ端末について比較して示した図である。
【図１２】本発明の一実施形態に係るユーザ端末のチャット画面におけるメッセージの強調表示及び残存表示に関する処理の流れを示したフローチャートである。
【図１３】本発明の一実施形態に係るユーザ端末に表示されるチャット画面におけるメッセージの強調表示の例を示した図である。
【図１４】本発明の一実施形態に係るユーザ端末に表示されるチャット画面におけるメッセージの強調表示の他の例を示した図である。
【図１５】本発明の一実施形態に係るユーザ端末に表示されるチャット画面におけるメッセージの残存表示の例を示した図である。
【図１６】本発明の一実施形態に係るユーザ端末に表示される、警備モード切替操作画面の他の例を示した図である。
【発明を実施するための形態】
【００２３】
以下、図面を参照しながら、本発明の実施形態を説明する。
【００２４】
［システムの構成］
図１は、本実施形態に係る警備システムの構成を示した図である。
【００２５】
同図に示すように、この警備システムは、警備装置１００と、ユーザ端末２００と、警備センタのセンタサーバ３００とを有する。
【００２６】
警備装置１００は、例えば住宅や事業所等の警備対象の建物に設置される。当該警備対象の異常を監視し、検知した異常を警備センタへ通報する。詳細は後述するが、警備装置１００は、複数の警備モード（例えば、外出警戒モード、在宅警戒モード、部分セットモード、在宅モード等）によって警備対象を警備している。
【００２７】
ユーザ端末２００は、上記警備対象の住宅の居住者の端末であり、例えばスマートフォン、携帯電話、タブレットＰＣ（Personal Computer）等の携帯型のコンピュータであり、例えばＬＴＥ（Long Term Evolution）、３Ｇ、Ｗｉ−Ｆｉ等のモバイルネットワークと接続可能である。警備対象の建物に複数人のユーザが居住または入居している場合、ユーザ端末２００は警備対象毎に複数存在し得る。
【００２８】
当該ユーザ端末２００は、上記警備装置１００との通信により、警備対象の遠隔から、上記警備モードを切替操作可能である。当該警備モードの切替操作は、ユーザ端末２００にインストールされた、警備モード情報その他の警備情報を提供するアプリケーション（以下、「警備アプリケーション」と称する）上で入力される。
【００２９】
なお、上記警備装置１００は、上記警備対象の建物内の壁面等に設置された操作部（操作パネル等）も有し、ユーザは、建物内に存在する場合には、当該操作部によっても上記警備モードを切替操作可能である。当該操作部による操作対象によっては、例えばユーザ毎に付与された認証カードを操作部へ挿入する認証処理が必要になる場合もある。本実施形態では、当該操作部を、遠隔操作が可能なユーザ端末２００に対して、「本体操作部」と称することもある。
【００３０】
センタサーバ３００は、警備会社が運営する警備センタに設置されるサーバであり、インターネットを介して警備装置１００及びユーザ端末２００と通信可能である。警備センタには、管制員が常駐しており、警備装置１００から異常通報を受信すると、警備装置１００の警備対象への警備員の派遣等の必要な措置が取られる。
【００３１】
またセンタサーバ３００は、警備対象の建物の所在地等の情報や、当該建物に居住または入居している警備契約先のユーザに関する情報等を記憶している。例えばセンタサーバ３００は、警備対象の建物に居住または入居する各ユーザのユーザ端末２００と警備装置１００とをペアリングし、それらを警備対象毎にグループ化した情報を、認証用に記憶している。またセンタサーバ３００は、上記認証カードについても、上記ユーザ端末２００と同様にペアリングしグループ化した情報を記憶している。
【００３２】
上記警備モードの切替えは、同図の（１）〜（８）のような流れで実行される。すなわち、（１）ユーザ端末２００が、モバイルネットワークを介してセンタサーバ３００へ警備モード切替を要求すると、（２）センタサーバ３００が、ユーザ端末２００（が属するグループ）を認証し、認証に通った場合、当該警備モード切替要求を警備装置１００へ転送することで、（３）警備装置１００へ警備モード切替を要求する。すると、（４）警備装置１００は、当該警備モード切替要求を受けて警備モードを切替え、（５）当該警備モードの切替完了をセンタサーバ３００へ通知する。
【００３３】
そして、（６）センタサーバ３００が、当該通知を受けて、インターネット上のプッシュ通知用のＡＰＩ（例えば、Apple Push Notification Service(APNS)やFirebase Cloud Messaging (FCM)）へ、モード切替完了をプッシュ通知するように要求する。（７）当該要求を受け、ＡＰＩがユーザ端末２００へ上記モード切替完了をプッシュ通知し、（８）ユーザ端末２００が当該プッシュ通知を受信してモード切替完了を表示部に表示する。
【００３４】
当該説明のとおり、警備モードの切替処理において、センタサーバ３００は、警備装置１００とユーザ端末２００との通信を仲介（及び認証）しているのみであるため、本実施形態では、実際にはセンタサーバ３００によって仲介される通信も、あえて当該仲介処理については省略し、警備装置１００とユーザ端末２００との通信として説明する場合もある。なお、センタサーバ３００の機能の一部を警備装置１００に持たせることで、警備装置１００とユーザ端末２００との間でセンタサーバ３００を仲介せずに通信する構成としてもよい。
【００３５】
本実施形態では、上記ユーザ端末２００が、上記警備アプリケーションによって、警備モードの遠隔による切替操作を受付可能であるとともに、当該警備モード切替操作と、当該モード切替操作に応じた警備装置１００によるモード切替結果とを、チャット画面上にメッセージとして表示することが可能である。当該表示処理の詳細については後述する。
【００３６】
［警備装置の構成］
図２は、上記警備装置１００の構成を示すブロック図である。同図に示すように、警備装置１００は、主装置１０１と、各種のセンサ１０及び１２等によって構成される。
【００３７】
侵入監視センサ１０は、扉や窓等の開閉を検知するセンサ、熱源としての人体が発する熱を検知するセンサ、人体により赤外線が遮られたことを検知するセンサ等の、侵入者を検出するためのセンサである。この侵入監視センサは、警備対象である建物の外周エリアに設置されたものと、その他のエリアに設置されたものとに大別される。さらに、建物の外周エリアに設置された侵入監視センサは、出入り口エリアに設置されたものと、それ以外のものとに区別される。火災センサ１２は、火災発生に伴う熱や煙を検知するセンサである。
【００３８】
主装置１０１は、制御部１１０、通報部１３０、報知部１４０、表示部１５０、操作部１６０、並びに通信インタフェース（Ｉ／Ｆ）１７０で構成される。
【００３９】
通報部１３０は、異常が発生した場合に、図示しない警備センタへ通信回線を介して通報する。報知部１４０は、各種報知音を発生させる。表示部１５０は、ＬＥＤ（Light Emitting Diode）、液晶表示器等で構成され、それぞれ、主装置上、主装置外での各種表示を行う。
【００４０】
通信Ｉ／Ｆ１７０は、各種センサやと有線又は無線で通信するためのインタフェースである。また通信Ｉ／Ｆ１７０は、警備モードの切替に関する遠隔操作部としてのユーザ端末２００と無線通信を行うインタフェースとしても機能する。
【００４１】
操作部１６０は、例えば操作ボタンやタッチパネル等で構成され、上記警備モードの切替操作等のユーザ操作を受け付ける。操作部１６０がタッチパネルである場合、操作部１６０は、上記表示部１５０と一体となり得る。
【００４２】
また操作部１６０は、ユーザが侵入者に襲われたときや身体の異常を感じたときに操作する非常通報ボタンや、ユーザが間違えて異常を発生させてしまった場合にその異常をキャンセルするためのキャンセル操作ボタン等、警備モードの切替操作以外に用いるボタンも有する。
【００４３】
制御部１１０は、プロセッサ、メモリ等により構成され、警備装置の稼動を制御する部分であり、機能的には、モード記憶手段１１２、監視制御情報記憶手段１１４、侵入監視センサ検知時処理手段１１６、モード設定手段１１８等を実現する。モード記憶手段１１２は、各警備モードを、それらの識別情報と共に記憶し、それらのうち現在設定されている警備モードに関する情報を例えばフラグ等により記憶する。監視制御情報記憶手段１１４は、各種センサの設置エリア、アドレスコード等を記憶し、警備モードと監視状態とする各種センサとの対応を記憶する。侵入監視センサ検知時処理手段１１６は、ある侵入監視センサが検知したときに、モード記憶手段１１２に記憶された現在の警備モードと監視制御情報記憶手段１１４に記憶された内容とに基づいて、異常判定を行って異常信号を出力する処理や報知音を決定して出力する処理等を実行する。モード設定手段１１８は、操作部１６０及びユーザ端末２００によるユーザからのモード切替操作に基づいて、上記警備モードの設定（切替）処理を実行する。モード設定手段１１８は、警備モードを変更したとき、切替先の警備モードを現在の警備モードとしてモード記憶手段１１２に記憶させる。
【００４４】
また図示しないが、主装置１０１は、警備装置１００とペアリングされグループ設定された複数のユーザ端末２００及び上記認証カード、並びにそれらの各ユーザの識別情報（ユーザ名、ユーザＩＤ等）に関するグループ設定情報も記憶している。
【００４５】
［警備モードの種別］
ここで、上記警備装置１００が有する警備モードの種別について説明する。本実施形態では、警備装置１００は、警備モードとして、外出警戒モード、在宅警戒モード、部分セットモード、警戒解除（在宅）モードを有する。
【００４６】
上記火災センサ１２による監視及び非常通報は、警備モードによらず行われる。これらによる異常発生は、別の警報音にて報知される。一方、上記侵入監視センサ１０による監視は、警備モードに応じて異なる。
【００４７】
外出警戒モードは、警備対象の建物のユーザ全員が警備対象から離れる（外出する）場合に設定されるモードである。このモードでは、上記侵入監視センサ１０による監視は、警備対象に設置された全ての侵入監視センサ１０によって行われる。
【００４８】
在宅警戒モードは、警備対象内にユーザがいる場合において、外部からの侵入を監視したい場合に利用されるモードであり、特に、就寝時に利用される。当該モードでは、上記侵入監視センサ１０による監視は、全ての侵入監視センサ１０のうち、窓、玄関扉、庭などの建物の外周エリアに設置された侵入監視センサ１０のみによって行われる。
【００４９】
部分セットモードは、例えば警備対象の建物の１階にしかユーザがおらず、２階を監視したい場合など、警備対象を部分的に警戒する場合に利用されるモードである。このモードでは、上記侵入監視センサ１０による監視は、警備対象の部分に存在する侵入監視センサ１０のみによって行われる。
【００５０】
警戒解除モードは、ユーザが在宅時に窓などを開放して過ごす場合に利用されるモードである。このモードでは、侵入監視センサ１０による監視は行われない。
【００５１】
［携帯端末の構成］
図３は、上記ユーザ端末２００の構成を示した図である。同図に示すように、ユーザ端末２００は、ＣＰＵ（Central Processing Unit）２１、ＲＯＭ（Read Only Memory）２２、ＲＡＭ（Random Access Memory）２３、入出力インタフェース２５、及び、これらを互いに接続するバス２４を備える。
【００５２】
ＣＰＵ２１は、必要に応じてＲＡＭ２３等に適宜アクセスし、各種演算処理を行いながらユーザ端末２００の各ブロック全体を統括的に制御する。ＲＯＭ２２は、ＣＰＵ２１に実行させるＯＳ、プログラムや各種パラメータなどのファームウェアが固定的に記憶されている不揮発性のメモリである。ＲＡＭ２３は、ＣＰＵ２１の作業用領域等として用いられ、ＯＳ、実行中の各種アプリケーション、処理中の各種データを一時的に保持する。
【００５３】
入出力インタフェース２５には、表示部２６、操作受付部２７、記憶部２８、通信部２９等が接続される。
【００５４】
表示部２６は、例えばＬＣＤ（Liquid Crystal Display）、ＯＥＬＤ（Organic ElectroLuminescence Display）、ＣＲＴ（Cathode Ray Tube）等を用いた表示デバイスである。
【００５５】
操作受付部２７は、例えば、タッチパネル、ボタン、キー、その他の入力装置である。操作受付部２７がタッチパネルである場合、そのタッチパネルは表示部２６と一体となり得る。
【００５６】
記憶部２８は、例えばフラッシュメモリ（ＳＳＤ；Solid State Drive）やその他の固体メモリ、ＨＤＤ（Hard Disk Drive）等の不揮発性メモリである。当該記憶部２８には、上記ＯＳや各種アプリケーション、各種データが記憶される。
【００５７】
特に本実施形態では、記憶部２８は、ユーザ端末２００が、上記警備装置１００と連動して警備モード切替処理を実行するための上記警備アプリケーションその他のプログラムを記憶している。当該警備アプリケーションには、警備モードの切替操作を受け付ける操作画面や、その切替結果を表示するチャット画面等の表示に必要なデータ（文字情報や画像情報）も含まれる。そしてＣＰＵ２１は、上記操作画面とチャット画面の切替処理及びメッセージの表示処理を制御する表示制御手段、及び、表示すべきメッセージを特定するメッセージ特定手段として機能する。また、警備アプリケーションは、警備装置１００に設定されている現在の警備モードに関する情報を、その警備モードへの切替操作または切替処理に対応するメッセージと対応付けて記憶している。
【００５８】
通信部２９は、例えばＬＴＥやＷｉ−Ｆｉ等の無線通信用の各種モジュールであり、モバイルネットワーク及びインターネットを介した上記警備装置１００及びセンタサーバ３００との間の通信処理を担う。
【００５９】
［メッセージ情報］
次に、上記ユーザ端末２００が記憶するメッセージ情報について説明する。
【００６０】
本実施形態において、ユーザ端末２００は、ユーザによるモード切替操作を示すメッセージと、当該モード切替操作に応じた警備装置１００によるモード切替結果を示すメッセージとを、上記警備アプリケーションが表示するチャット画面上で表示可能である。以下、上記ユーザによるモード切替操作を示すメッセージを「モード操作メッセージ」、警備装置１００によるモード切替結果を示すメッセージを「モード切替メッセージ」と称する。また、このモード操作メッセージ及びモード切替メッセージの両方、またはいずれか一方を、警備モードの切替設定に関する「モード設定メッセージ」と称する場合もある。
【００６１】
ユーザ端末２００は、モード切替操作の操作者と、切替後の警備モードとに応じて、異なるメッセージを表示可能であり、そのために、それらの対応関係をテーブルとして上記記憶部２８に記憶している。
【００６２】
図４は、ユーザ端末２００が記憶する上記モード操作メッセージ情報に関するテーブルを示した図である。
【００６３】
同図に示すように、当該テーブルでは、操作者（ユーザ識別情報）及び切替後の警備モード（モード識別情報）と対応付けられてメッセージ内容が記憶されている。ただし、モード操作メッセージは、モード切替操作の操作者がユーザ本人である場合に当該ユーザのユーザ端末２００に表示されるメッセージであるため、操作者としては本人のユーザ名のみが記憶される。
【００６４】
切替後の警備モード情報としては、外出警戒モード、警戒解除（在宅）モード、在宅警戒モード、及び部分セットモードを記憶しており、それらに対応するモード操作メッセージとして、「外出警戒モード操作」、「警戒解除モード操作」、「在宅警戒モード操作」及び「部分セット操作」が記憶されている。部分セットモードに対応するモード操作メッセージには、セットされた警戒ブロックを示す情報（ブロック番号またはブロック名）も付加される。
【００６５】
上述したように、ユーザは、警備モードの切替操作として、ユーザ端末２００による遠隔操作と、警備装置１００の本体操作部１６０対する操作を入力可能である。上記モード操作メッセージは、本体操作部１６０に対してユーザ本人が認証カードを用いてモード切替操作を行った場合でも、ユーザ本人による操作情報として当該ユーザのユーザ端末２００に表示される。
【００６６】
ただし、本体操作部１６０による操作の場合、上記報知部１４０からの報知音の出力によりユーザは自身の操作が入力されたことを認識できることから、上記チャット画面上にモード操作メッセージが表示されなくてもよい。
【００６７】
図５は、ユーザ端末２００が記憶する上記モード切替メッセージ情報に関するテーブルを示した図である。
【００６８】
同図に示すように、当該テーブルでも、操作者（ユーザ識別情報）及び切替後の警備モード（モード識別情報）と対応付けられてメッセージ内容が記憶されている。
【００６９】
操作者情報としては、本人とグループ設定された家族（または同居人）のユーザ名（複数であり得る）と、本人のユーザ名が記憶されている。そして当該操作者情報に、それぞれ、上記外出警戒モード、警戒解除（在宅）モード、在宅警戒モード、及び部分セットモードの各警備モード情報が対応付けられているが、操作者が家族である場合と本人である場合とで、それぞれ異なる内容のモード切替メッセージ情報が対応付けられている。
【００７０】
すなわち、操作者が家族である場合の、上記外出警戒モード、警戒解除（在宅）モード、在宅警戒モード、及び部分セットモードに対応するモード切替メッセージは、それぞれ、「外出警戒モードに変更しました」、「警戒解除モードに変更しました」、「在宅警戒モードに変更しました」、「部分セットに変更しました（＋警戒ブロック情報）」、であり、単に各モードへの切替の事実を直接的に知らせるメッセージである。
【００７１】
一方、操作者がユーザ本人である場合の、上記外出警戒モード、警戒解除（在宅）モード、在宅警戒モード、及び部分セットモードに対応するモード切替メッセージは、それぞれ、「留守はお任せください」、「おかえりなさい」、「安心してお過ごしください」、「安心してお過ごしください（＋警戒ブロック情報）」であり、警備装置１００（警備システム）が、ユーザの各モード切替操作（または、外出、帰宅等のユーザの行動）を認識した旨をユーザ本人に語りかけるようなメッセージとされる。
【００７２】
また、操作者が同一でも、本体操作部１６０を用いた場合とユーザ端末２００の操作画面を用いた場合とでは、それが区別できるような操作者情報が表示されるように設定される。例えば、ユーザＡが本体操作部１６０を操作した場合の操作者情報は「Ａ」とされ、ユーザＡが自身のユーザ端末２００を操作した場合の操作者情報は「Ａ（スマホ）」とされてもよい。
【００７３】
なお、上記認証カードを用いずに本体操作部１６０上で入力された警備モード切替操作については、操作者が本人であるか家族であるかの判別ができないため、それに対応するモード切替メッセージの内容は、操作者が家族である場合のメッセージと同様とされ、操作者は「システム」として設定される。
【００７４】
図４及び図５で示されるように、ユーザ端末２００に記憶されるテーブルは、操作者が本人であるか家族であるか、切替後の警備モードがいずれであるか、更にはモード切替操作であるかモード切替結果であるか、の組み合わせに応じて異なるメッセージが対応付けられている。
【００７５】
［操作画面及びチャット画面］
上述したように、本実施形態において、ユーザ端末２００の警備アプリケーションは、ユーザから上記警備モードの切替操作を受け付ける操作画面と、当該切替操作に基づいて切り替えられる警備モードに関するメッセージ（上記モード操作メッセージ及びモード切替メッセージ）を時系列に対話形式で表示するチャット画面とを切替可能に表示する。
【００７６】
図６は、上記操作画面の例を示した図である。同図に示すように、当該操作画面３０は、例えばタッチパネルを用いたユーザインタフェースとして構成されており、操作メニューボタン３１、設定メニューボタン３２、外出警戒モード設定ボタン３３、警戒解除モード設定ボタン３４、在宅警戒モード設定ボタン３５、部分セットモード設定ボタン３６を有する。各ボタンはボタンアイコンとして画面上に表示され、ユーザがそれぞれのボタンアイコン領域をタップすることで各ボタンの選択操作として認識される。
【００７７】
操作メニューボタン３１は、例えば画面の下部に、操作画面３０と上記チャット画面とで共通で設けられており、操作画面３０と上記チャット画面とを切替表示させるためのボタンである。設定メニューボタン３２は、ユーザ情報等に関する各種設定を変更する際に用いられるボタンである。
【００７８】
外出警戒モード設定ボタン３３、警戒解除モード設定ボタン３４、在宅警戒モード設定ボタン３５、及び部分セットモード設定ボタン３６は、それぞれ、警備モードを現在の警備モードから、外出警戒モード、警戒解除モード、在宅警戒モード、及び部分セットモードへ切り替えるための操作を受け付けるボタンである。後述するが、これらのボタンがユーザにより操作されると、ユーザ端末２００は、警備装置１００へ、それらに対応する警備モードへの切替要求信号を送信する。
【００７９】
また操作画面３０は、複数の部分セットブロック選択ボタン３７も有する。当該各部分セットブロック選択ボタン３７は、上記部分セットモード設定ボタン３６によって部分セット対象となる警戒ブロックを選択するためのボタンである。警戒ブロックとしては、同図の例では、「玄関勝手口」、「ダイニングキッチン」、「和室」、「２階子供部屋」、「２階主寝室」の５つが挙げられているが、これらに限られず、ユーザは上記設定メニューボタン３２の操作によって部分セット対象の警戒ブロックまたはその数を変更可能である。これらのうちいずれかの部分セットブロック選択ボタン３７がユーザに選択された上で、上記部分セットモード設定ボタン３６が操作されると、当該選択された警戒ブロックを警戒対象とする部分セットモードへの切替要求信号が送信される。
【００８０】
当該操作画面３０は、上記操作メニューボタン３１の操作によってチャット画面に切り替わるほか、例えば右上部に設けられた閉じるボタンの操作によってもチャット画面に切り替わる。
【００８１】
なお、警備用アプリケーションを起動する際、又は、操作画面３０に切り替える際、ユーザ認証のためのパスコードの入力を促すポップアップが表示され、そこでユーザがパスコードを正しく入力することで各モード設定ボタンの操作が有効となる。ユーザ認証方法は、パスコードに代えて指紋等の生体認証を利用できる。また、ユーザ認証は、操作画面３０において各モード設定ボタンが押下された際に行ってもよい。
【００８２】
図７は、上記チャット画面の例を示した図である。同図に示すように、チャット画面４０は、上記操作画面３０と共通に設けられている操作メニューボタン３１、設定メニューボタン３２の他、モード操作メッセージ４１及びモード切替メッセージ４２を、異なる領域に区別して対話形式で時系列に表示するメッセージ表示領域を有する。
【００８３】
当該メッセージ表示領域においては、例えば右側の領域にモード操作メッセージ４１が表示され、左側の領域にモード切替メッセージ４２が表示される。また、当該メッセージ表示領域は、上部から下部に向かう時間軸を有し、古い（受信時刻が前の）メッセージほど上部に、新しい（受信時刻が後の）メッセージほど下部に表示される。また最新のメッセージは常に最下部に追加表示され、それより前のメッセージのうち、メッセージ表示領域の表示範囲に収まらないメッセージは、ユーザがメッセージ表示領域を例えば上下方向にフリックまたはスワイプすることによって、下部にスクロールし表示可能となる。
【００８４】
各モード操作メッセージ４１及び各モード切替メッセージ４２は、矩形枠で囲まれたメッセージ本文の他に、その隣接した位置（例えばその上部）に、操作者情報、操作ツール、及び受信時刻（操作時刻）情報を含む。上述したように、モード操作メッセージ４１において操作者情報として表示されるのは、常にユーザ本人である。一方、モード切替メッセージ４２において操作者として表示されるのは、ユーザ本人の操作結果を示すモード切替メッセージ４２においてはシステム（警備装置１００）であり、家族の操作結果を示すモード切替メッセージ４２においては当該家族のユーザ名である。操作ツール情報は、ユーザがユーザ端末２００で切替操作を行った場合にその旨を示す情報（「スマホ」）を表示する情報である。警備装置１００にて切替操作を行った場合にもその旨の情報（例えば「本体））を表示させてもよい。また、操作ツールの表示は省略してもよい。
【００８５】
同図の例では、ユーザ端末２００のユーザ本人（お母さん）のユーザ端末２００による外出警戒モード操作に応じて、モード操作メッセージ４１ａ及び４１ｂと、モード切替メッセージ４２ａ及び４２ｃがそれぞれ対話形式で表示され、またユーザ本人の家族（太郎くん）の本体操作部１６０による警戒解除モード操作に応じてモード切替メッセージ４２ｂが表示されている。
【００８６】
また、警備アプリケーションにおいては、ユーザ本人とグループ設定された家族との間の通常のメッセージのやりとりも可能であり、それらメッセージは、上記モード操作メッセージ４１及びモード切替メッセージ４２以外に、通常メッセージ４３ａ及び４３ｂとして対話形式で表示されている。図に示されていないが、メッセージ表示領域をダブルタップすると、例えば最下部に、ユーザがメッセージを作成するための文字入力枠およびキーボード等の文字選択領域が表示される。
【００８７】
また、警備装置１００による警備モードの切替以外の警備装置１００側または警備システム側からの報知メッセージも、モード切替メッセージ４２と同様の領域に表示され得る。報知メッセージとしては、例えば、契約更新に関するお知らせ、防犯・防災情報に関するお知らせ、警備会社が提供する各種商品に関するお知らせ等が含まれるが、これらに限られない。
【００８８】
また、詳細は後述するが、警備アプリケーションは、チャット画面４０上に表示される複数のメッセージのうち、上記警備装置１００に設定されている現在の警備モードへの切替設定に関するモード設定メッセージ（モード操作メッセージ４１またはモード切替メッセージ４２）を強調表示する（強調表示処理）。同図の例では、最新のモード操作である、ユーザ本人（お母さん）による外出警戒モード操作に応じて表示されたモード操作メッセージ４１ｂが、現在の警備モードを示すモード設定メッセージとして強調表示されている。
【００８９】
また、これも詳細は後述するが、警備アプリケーションは、上記通常メッセージや報知メッセージ等、モード設定メッセージ以外の新たなメッセージが上記チャット画面４０上に追加表示されることで、現在の警備モードへの切替設定を示すモード設定メッセージが当該チャット画面４０上の表示領域外となる場合には、当該モード設定メッセージを、当該チャット画面４０上に表示されている他のメッセージに代えて上記チャット画面４０上の表示領域内に残存表示させる（残存表示処理）。
【００９０】
［警備システムの動作］
次に、以上のように構成された警備システムの動作について説明する。当該動作は、警備装置１００及びユーザ端末２００のＣＰＵや通信部等のハードウェアと、記憶部に記憶されたソフトウェアとの協働により実行される。以下の説明では、便宜上、警備装置１００の制御部１１０及びユーザ端末２００の警備アプリケーションまたはＣＰＵ２１を動作主体とする。また、以降では、ユーザ端末２００のユーザと家族との間の通常メッセージのやりとりについては説明を省略する。
【００９１】
図８は、上記警備システムにおける警備モード切替処理の流れを示したシーケンス図である。
【００９２】
同図に示すように、まず、ユーザ端末２００ＡのＣＰＵ２１は、ユーザ（本人）の操作に基づいて、上記警備アプリケーションを起動する（ステップ８１）。警備アプリケーションは、起動すると、メイン画面として上記チャット画面４０を表示する（ステップ８２）。このときＣＰＵ２１は、センタサーバ３００に問い合わせて未取得のメッセージを取得する。またＣＰＵ２１は、警備アプリケーションの非動作時にプッシュ通知されたメッセージがあれば、それらのメッセージを含めてチャット画面４０を最新の状態に更新して表示する。
【００９３】
続いて警備アプリケーションは、上記チャット画面４０上で上記操作メニューボタン３１が操作されたか否かを判断する（ステップ８３）。
【００９４】
操作メニューボタン３１が押下されたと判断した場合（Ｙｅｓ）、警備アプリケーションは、チャット画面４０を上記操作画面３０に切替えて表示する（ステップ８４）。
【００９５】
続いて警備アプリケーションは、当該操作画面３０上で、上記各モード設定ボタンにより、モード切替操作が入力されたか否かを判断する（ステップ８５）。
【００９６】
モード切替操作が入力されたと判断した場合（Ｙｅｓ）、警備アプリケーションは、当該モード切替操作に応じた警備モードの切替要求信号を警備装置１００へ送信する（ステップ８６）。当該切替要求信号には、操作対象となったユーザ端末２００の操作者であるユーザ（本人）のユーザ識別情報と、切替先の警備モードを表すモード識別情報とが含まれる。
【００９７】
また、警備アプリケーションは、モード切替操作に応じて操作画面をチャット画面に切替えて表示するとともに、このモード切替操作情報及び切替先の警備モードのモード識別情報に基づき、切替先の警備モードに対応するモード操作メッセージを上記テーブルから特定して、上記チャット画面４０上に最新のメッセージとして追加表示する（ステップ８７）。
【００９８】
上記切替要求信号を受信した警備装置１００の制御部１１０は、現在の警備モードを、上記切替要求信号に含まれるモード識別情報に対応する警備モードへと切替える（ステップ８８）。
【００９９】
続いて制御部１１０は、当該切替え後の警備モードを識別するモード識別情報と、上記切替要求信号に含まれる、操作者を識別するユーザ識別情報とを含むモード切替信号を生成し（ステップ８９）、当該信号を、上記切替要求信号の送信元のユーザ端末２００Ａ及び上記操作者であるユーザとグループ設定された全ての家族ユーザのユーザ端末２００Ｂへ一斉に送信する（ステップ９０）。
【０１００】
上記モード切替信号を受信したユーザ本人のユーザ端末２００Ａの警備アプリケーションは、当該モード切替信号に含まれるモード識別情報及びユーザ識別情報から切替後の警備モードと操作者を特定し（ステップ９１）、当該特定した警備モードに対応するモード切替メッセージを上記テーブルから特定して（ステップ９３）、上記チャット画面４０上に最新メッセージとして追加表示する（ステップ９５）。
【０１０１】
同様に、上記モード切替信号を受信した家族のユーザ端末２００Ｂの警備アプリケーションも、当該モード切替信号から切替後の警備モードと操作者を特定し（ステップ９２）、当該特定した警備モードに対応するモード切替メッセージを上記テーブルから特定して（ステップ９４）、上記チャット画面４０上に最新メッセージとして追加表示する（ステップ９６）。
【０１０２】
なお、図示しないが、警備装置１００の本体操作部１６０に対してモード切替操作があった場合にも、警備装置１００が操作者を示すユーザ識別情報及び切替後の警備モードを示すモード識別情報を含むモード切替信号を、グループ設定された全てのユーザ端末２００へ送信する。ただし、切替前後の警備モードによっては、上記認証カードによる認証を必要とせずに警備モードを切替えることも可能であり、その場合には、上記操作者を示すユーザ識別情報は、「システム」とされる。
【０１０３】
また、図示しないが、操作画面３０を表示中に、モード切替操作が為されることなく再び操作メニューボタン３１が操作された場合には、警備アプリケーションは、操作画面３０からチャット画面４０に切替える。また、チャット画面４０を表示中に家族のモード切替操作によるモード切替信号を受信した場合は当該チャット画面上に最新メッセージを追加表示し、操作画面３０を表示中に家族のモード切替操作によるモード切替信号を受信した場合には、当該操作画面３０からチャット画面４０に切替えた後に最新メッセージを追加表示する。
【０１０４】
図９は、警備モードを外出警戒モードに切替える操作が入力された場合にその操作者のユーザ端末２００に表示される画面の遷移例を示した図である。
【０１０５】
同図Ａは、警備アプリケーションの起動時の画面例を示している。初回起動時には、チャット画面４０上に、初期メッセージとして例えば警備装置１００からのお知らせメッセージ４４が表示される。しかし、ユーザが警備アプリケーションを用いて過去にモード切替操作を行っている場合には、次回起動時には、それらのモード切替操作時のモード操作メッセージ４１及びモード切替メッセージ４２が最新メッセージとして表示された状態となっている。
【０１０６】
この状態から、同図Ｂに示すように、ユーザが操作メニューボタン３１を押下して操作画面３０を表示させ、例えば外出警戒モード設定ボタン３３を押下すると、操作画面３０からチャット画面４０に切替え、同図Ｃに示すように、当該操作に応じたモード操作メッセージ４１（「外出警戒モード操作」）が、操作者情報（ユーザ本人）、操作ツール（スマートフォン）、及び受信時刻情報と共に、最新メッセージとして追加表示される。
【０１０７】
そして、上記操作によりユーザ端末２００から切替要求信号が警備装置１００へ送信されると、警備モードが外出警戒モードに切替えられる。そして、それに応じたモード切替信号が警備装置１００から受信されると、同図Ｄに示すように、上記モード切替信号に応じて、「留守はお任せください。」というモード切替メッセージ４２が表示される。
【０１０８】
図１０は、警備モードを部分セットモードに切替える操作が入力された場合にその操作者のユーザ端末２００に表示される画面の遷移例を示した図である。
【０１０９】
同図Ａに示すように、ユーザが操作メニューボタン３１により操作画面３０を表示させ、複数の部分セットブロック選択ボタン３７のうち、和室（３）、２階子供部屋（４）、及び２階主寝室（５）の３つを選択し、部分セットモード設定ボタン３６を押下したとする。
【０１１０】
すると、操作画面３０からチャット画面４０に切替え、同図Ｂに示すように、当該操作に応じたモード操作メッセージ４１（「部分セット操作  ３，４，５」）が、操作者情報（ユーザ本人）、操作ツール（スマートフォン）、及び受信時刻情報と共に、最新メッセージとして追加表示される。
【０１１１】
そして、上記操作によりユーザ端末２００から切替要求信号が警備装置１００へ送信されると、警備モードが上記３〜５のブロックを警戒ブロックとする部分セットモードに切替えられる。そして、それに応じたモード切替信号が警備装置１００から受信されると、同図Ｃに示すように、上記モード切替信号に応じて、「安心してお過ごしください。」というメッセージ並びに警戒対象となった警戒ブロックを強調表示しそれ以外の警戒ブロックを例えばグレー表示した警戒ブロック情報を含むモード切替メッセージ４２が表示される。
【０１１２】
図１１は、上記警備モード切替操作時のチャット画面例を、異なるユーザ端末２００について比較して示した図である。同図Ａはユーザ名「花子」のユーザ端末２００の画面例であり、同図Ｂはユーザ名「子太郎」のユーザ端末２００の画面例である。
【０１１３】
同図（１）に示すように、上記認証カード無しで本体操作部１６０にモード切替操作が入力された場合には、操作者が特定できないため、両ユーザ端末におけるモード切替メッセージ４２は同一となる。
【０１１４】
同図（２）に示すように、花子が本体操作部１６０でモード切替操作を入力した場合には、それに対応するモード操作メッセージ４１が花子のユーザ端末２００のみに表示される。その切替結果を示すモード切替メッセージ４２としては、上記図５で示したテーブルでも説明したように、花子のユーザ端末２００と子太郎のユーザ端末２００とでは、操作者情報及びメッセージ内容が異なるメッセージが表示される。
【０１１５】
同図（３）及び（４）に示すように、子太郎と花子がそれぞれ自身のユーザ端末２００の操作画面３０でモード切替操作を入力した場合にも、その切替結果を示すモード切替メッセージとして、上記テーブルに従い、両端末で、操作者情報及びメッセージ内容が異なるメッセージが表示される。
【０１１６】
同図（５）に示すように、花子でも子太郎でもない家族（パパ）が部分セットモードへの切替操作を入力した場合、及び、同図（６）に示すように、認証カード無しの部分セットモード操作が入力された場合は、上記（１）と同様に、花子と子太郎のユーザ端末２００に同じモード切替メッセージ４２が表示される。
【０１１７】
［モード設定メッセージの強調表示処理及び残存表示処理］
次に、警備アプリケーションによる、警備装置１００に設定されている現在の警備モードへの切替設定に関するモード設定メッセージの強調表示処理及び残存表示処理の詳細について説明する。
【０１１８】
図１２は、上記強調表示及び残存表示に関する処理の流れを示したフローチャートである。
【０１１９】
同図に示すように、警備アプリケーション（ユーザ端末２００のＣＰＵ２１）は、チャット画面４０の更新イベントが発生したか否かを判断する（ステップ１２１）。ここでチャット画面４０の更新イベントとは、例えば新たなメッセージの受信や警備モードの切替えに伴うメッセージの追加表示処理、ユーザによるチャット画面４０の表示領域のスクロール処理、またはチャット画面４０の起動処理である。
【０１２０】
次に警備アプリケーションは、上記画面の更新後に表示対象となる（チャット画面４０の表示領域に表示すべき）メッセージを読み込む（ステップ１２２）。このとき、読み込み対象のメッセージが警備アプリケーション内に保存されていない場合には、センタサーバ３００等、これまでの全てのメッセージを全て保存しているサーバからメッセージが読み込まれる。また、読み込む対象のメッセージは、チャット画面４０の表示領域に表示される分だけでなく、ユーザが表示領域をスクロール操作した際の表示処理に時間がかからないように、一定数または一定量の古いメッセージまで一度に読み込んでおくとよい。
【０１２１】
続いて警備アプリケーションは、当該読み込まれた表示対象のメッセージの中に、警備装置１００の現在の警備モードへの切替設定を示す最新のモード設定メッセージ（モード操作メッセージ４１またはモード切替メッセージ４２）が存在するか否かを判断する（ステップ１２３）。
【０１２２】
ここで、警備アプリケーションは、警備装置１００からのモード切替信号に基づいて現在の警備モードを示す情報を記憶しており、また当該モード切替信号に対応する最新のモード設定メッセージを、例えばフラグ等によって管理しているため、当該情報を基に上記判断が可能となる。また、最新のモード設定メッセージが管理されていない場合には、現在の警備モードに基づいて、該当するモード設定メッセージが警備アプリケーション内またはサーバから検索されてもよい。
【０１２３】
表示対象のメッセージ中に、現在の警備モードを示す最新のモード設定メッセージが存在すると判断した場合（Ｙｅｓ）、警備アプリケーションは、当該最新のモード設定メッセージを強調表示する（ステップ１２７）。このとき、警備アプリケーションは、強調対象のモード設定メッセージが変更される場合には、その直前において強調表示されていた他のモード設定メッセージの強調表示設定を解除する。
【０１２４】
一方、表示対象のメッセージ中に、現在の警備モードを示す最新のモード設定メッセージが存在しない、すなわち、上記画面の更新（モード設定メッセージ以外のメッセージの受信、スクロール操作による表示領域の変更等）によって、当該最新のモード設定メッセージがチャット画面４０上の表示領域外となると判断した場合、警備アプリケーションは、表示対象以外のメッセージ中から、現在の警備モードを示す最新のモード設定メッセージを検索する（ステップ１２４）。
【０１２５】
続いて警備アプリケーションは、チャット画面４０上の現在の表示領域内のメッセージから、上記最新のモード設定メッセージに代えて省略するメッセージを決定し、当該省略メッセージの存在を示す省略メッセージ通知情報を生成する（ステップ１２５）。この省略メッセージ通知情報には省略されたメッセージの件数が含まれてもよい。
【０１２６】
そして警備アプリケーションは、上記省略メッセージ通知情報をチャット画面４０上に表示するとともに（ステップ１２６）、現在の警備モードを示す最新のモード設定メッセージを強調表示して表示領域内に残存表示させる（ステップ１２７）。このとき、警備アプリケーションは、その直前において残存表示されていた他のモード設定メッセージが存在していた場合には、その残存表示設定及び他のメッセージの省略設定を解除する。
【０１２７】
警備アプリケーションは、上記チャット画面４０の更新イベントが発生する度に、以上の処理を繰り返し実行する。
【０１２８】
図１３及び図１４は、上記チャット画面４０におけるモード設定メッセージの強調表示の例を示した図である。
【０１２９】
図１３Ａの例では、ユーザ本人（お母さん）以外のユーザ（家族の太郎くん）の上記操作部１６０を介した警戒解除モードへのモード切替操作によって、モード切替メッセージ４２ｂが最新のモード設定メッセージとして表示され、かつ、強調表示されている。
【０１３０】
また図１３Ｂの例では、同図Ａの状態から、新たに太郎くんが外出警戒モードへのモード切替操作を行うことで、モード切替メッセージ４２ｃが最新のモード設定メッセージとして表示され、かつ、それが強調表示対象に切り替わり、同図Ａにおけるモード切替メッセージ４２ｂの強調表示設定は解除される。
【０１３１】
ここで同図では、強調表示の例として、メッセージの表示領域である吹き出し（枠）を太くし、かつ、操作（受信）時刻情報及び操作者（ツール）情報を太字にする処理が示されているが、強調表示はこれに限られない。例えば、上記吹き出し枠が着色されたり、当該吹き出しの背景の色が変更されたり、メッセージを示すテキスト（特に、警備モードを示す文字）のフォントが太字処理されたり、他の色に変更されたりといった強調表示処理が実行されてもよい。また、操作時刻情報及び操作者（ツール）情報のうち少なくとも一方が強調表示されなくてもよい。
【０１３２】
一方、図１４では、同図Ａの状態（図１３Ａと同一の状態）から、ユーザ本人（お母さん）による外出警戒モードへのモード切替操作が入力された場合に、同図Ｂに示すように、それに対応するモード操作メッセージ４１ｂが強調表示され、同図Ａにおけるモード切替メッセージ４２ｂの強調表示設定は解除されている。
【０１３３】
このように、警備アプリケーションは、現在の警備モードへの切替設定のための切替操作を行ったのがユーザ本人である場合には、モード操作メッセージ４１を強調表示対象とし、上記切替操作を行ったのがユーザ本人ではない場合には、モード切替メッセージ４２を強調表示対象としている。モード操作メッセージ４１とモード切替メッセージ４２とはチャット画面上の表示される領域が異なるため、モード操作メッセージ４１が強調表示されることで、現在の警備モードへの切替操作をユーザ本人が行っていたことを容易に認識することができる。また、本実施形態では、ユーザ本人のモード切替操作に対応するモード切替メッセージ４２（例えばモード切替メッセージ４２ｃ）には、現在の警備モードを示す文言が含まれていない場合があり、それが強調表示されても、現在の警備モードをユーザが一目で把握できないが、ユーザ本人のモード切替操作に対応するモード切替メッセージ４２に、現在の警備モードを示す文言が含まれている場合には、モード操作メッセージ４１に代えて（または加えて）モード切替メッセージ４２が強調表示されてもよい。
【０１３４】
図１５は、上記チャット画面におけるモード設定メッセージの残存表示の例を示した図である。
【０１３５】
同図Ａに示すように、現在の警備モードを示すモード切替メッセージ４２ｃが、現在の警備モードを示す最新のモード設定メッセージとして強調表示されている。
【０１３６】
その後、モード設定メッセージ以外の新たなメッセージ（通常メッセージ４３ｄ乃至４３ｇ）が順次受信されて表示されることで、現在の警備モードを示すモード切替メッセージ４２ｃがチャット画面４０の表示領域外となる場合には、同図Ｂに示すように、警備アプリケーションは、同図Ａで表示されていた通常メッセージ４３ｂの表示を省略し、省略メッセージ通知情報５１を表示した上で、操作時刻情報及び操作者情報を含むモード切替メッセージ４２ｃを表示領域内に残存させる。
【０１３７】
ここで、残存表示対象のモード設定メッセージは、例えばチャット画面４０の表示領域の最上部に表示され、当該最上部に表示されるはずであった他のメッセージが省略対象とされる。しかし、残存表示対象のモード設定メッセージが表示領域の最上部以外（例えば最下部等）に表示されもよいし、最上部以外のメッセージが省略対象とされてもよい。
【０１３８】
続いて、新たなモード切替操作があった場合には、同図Ｃに示すように、新たなモード切替操作に対応するモード切替メッセージ４２ｄが追加表示され、かつ強調表示される。これに伴い、同図Ｂにおいて残存表示されていたモード切替メッセージ４２ｃの強調表示設定及び残存表示設定は解除され、通常メッセージ４３ｂの省略も解除され、省略メッセージ通知情報５１に代えて最新表示領域にメッセージ全文が表示される。
【０１３９】
［まとめ］
以上説明したように、本実施形態によれば、ユーザ端末２００は、モード設定メッセージをチャット画面４０上に時系列で表示するとともに、現在の警備モードに関するモード設定メッセージを強調表示することで、複数のメッセージが表示されたチャット画面上で、ユーザの切替操作に基づく警備装置による警備モードの切替結果の履歴を、ユーザが容易に認識することができる。
【０１４０】
またユーザ端末２００は、チャット画面４０上に、モード設定メッセージ以外の他のメッセージが追加表示され、現在の警備モードを示すモード設定メッセージが表示領域外となるような場合でも、当該メッセージを表示領域内に残存させることで、チャット画面上で現在の警備モードを常に把握させることができる。
【０１４１】
［変形例］
本発明は上述の実施形態にのみ限定されるものではなく、本発明の要旨を逸脱しない範囲内において種々変更され得る。
【０１４２】
上述の実施形態では、ユーザ端末２００の警備アプリケーションは、現在の警備モードに関するモード設定メッセージのうち、最新のメッセージのみを強調表示することで、現在の警備モードおよび当該警備モードへの切替えに関する情報をユーザが容易に把握できるものとしていた。しかし、チャット画面４０上の表示領域に、現在の警備モードに関するモード設定メッセージ（モード操作メッセージ４１またはモード切替メッセージ４２）が複数存在する場合には、それらを全て強調表示しても構わない。これによっても、現在の警備モードがユーザに容易に把握可能である。
【０１４３】
上述の実施形態では、ユーザ端末２００の警備アプリケーションは、現在の警備モードに関するモード設定メッセージを残存表示させる際、省略メッセージ通知情報５１によって省略されたメッセージの存在をユーザに報知し、チャット画面４０の表示領域がスクロール操作された場合には、当該省略されたメッセージを表示させていた。しかし、警備アプリケーションは、当該スクロール操作がなくても、例えば上記省略メッセージ通知情報５１がユーザによってタップ等で選択された場合には、当該省略されたメッセージを、少なくとも一定期間表示してもよい。この場合、当該一定期間は、現在の警備モードに関するモード設定メッセージが非表示となっても構わないし、現在の警備モードに関するモード設定メッセージを残存させたまま、省略メッセージ以外の他のメッセージを非表示としてもよい。
【０１４４】
上述の実施形態では、ユーザ端末２００の警備アプリケーションは、現在の警備モードに関するモード設定メッセージを強調表示するとともに残存表示させていた。しかし、警備アプリケーションは、現在の警備モードに関するモード設定メッセージに対して、当該強調表示処理と残存表示処理のうち残存表示処理のみを実行してもよい。この場合には、最新のメッセージを含むチャット画面４０上の表示領域には、現在の警備モードに関する最新のモード設定メッセージが、他のメッセージの省略によって残存表示されていても、当該最新のモード設定メッセージは強調表示されない。
【０１４５】
上述の実施形態で示した操作画面３０の構成態様は、適宜変更可能である。例えば、上述の実施形態では、操作画面３０はユーザ端末２００の表示領域の略全てに亘って表示されていたが、例えばそれが縮小表示可能であってもよい。その場合、例えば図１６に示すように、操作画面４０が、低明度で表示されたチャット画面４０にオーバーラップされるように表示されてもよい。同図の例では、操作画面４０の領域が小さくなったことに伴い、上記各種モード設定ボタン３３〜３５の配置も変更され、部分セットブロック選択ボタン３７は警戒ブロックを示す番号のみのボタンとされ、かつ、部分セット設定ボタン３６による決定機能も併せ持った態様とされている。
【０１４６】
上述の実施形態においては、モード操作メッセージ４１及びモード切替メッセージ４２は、上記図４及び図５のテーブルに示したとおり、ユーザ（操作者）識別情報とモード識別情報と対応付けられてユーザ端末２００に記憶され、ユーザ端末２００が、警備装置１００から受信したモード切替信号に基づいてメッセージを特定（生成）して表示していた。しかし、上記のうちモード切替メッセージの特定（生成）処理は、ユーザ端末２００ではなく、上記センタサーバ３００が担ってもよい。
【０１４７】
この場合、センタサーバは、Ｗｅｂサーバとして機能し、ユーザ識別情報及びモード識別情報に応じて異なる複数のモード切替メッセージ４２を記憶し、警備装置１００から受信したモード切替信号に含まれるユーザ識別情報及びモード識別情報に対応するモード切替メッセージ４２を特定・生成して、ユーザ端末２００へ送信する。ユーザ端末２００は、当該モード切替メッセージ４２を、そのままチャット画面４０上に表示可能である。
【０１４８】
またこの場合センタサーバは、上記各メッセージの送信の際に、最新のモード設定メッセージ（モード操作メッセージまたはモード切替メッセージ）に対する上記強調表示処理や上記残存表示処理を実行させるための設定データを、メッセージに埋め込んでもよい。
【０１４９】
上述の実施形態では、モード操作メッセージ４１及びモード切替メッセージ４２において、操作者情報と受信時刻情報は、メッセージ本文とは別に表示されていたが、少なくともモード切替メッセージにおける操作者情報は、メッセージ本文に組み込まれて一体的に表示されてもよい。すなわち、ユーザ端末２００の警備アプリケーションは、特定したモード切替メッセージ４２と、ユーザ識別情報に対応する操作者情報とを基に１つのメッセージを生成して表示してもよい。これにより、ユーザは切替後の警備モードとその操作者をより直感的に認識することができる。上記１つのメッセージは、例えばモード切替メッセージが「外出警戒モードに変更しました。」という内容であり、操作者がＡであれば、「Ａさんが外出警戒モードに変更しました。」といったものに生成される。
【０１５０】
上述の実施形態においては、モード切替操作対象のツールが本体操作部１６０である場合もユーザ端末２００の操作画面３０である場合も、操作者（操作ツール）情報を除き同様のメッセージが表示された。しかし、操作ツールが異なる場合には、それらに異なるモード切替メッセージ４１が対応付けられて表示されてもよい。例えば、ユーザがユーザ端末２００の操作画面３０で操作した場合には、ユーザが警備対象の建物の遠隔に存在する場合もあり得ることから、ユーザが建物内に存在することが前提のメッセージ内容（例えば「おかえりなさい」等）は、他のメッセージに変更されてもよい。
【０１５１】
また、ユーザがユーザ端末２００を用いて警戒解除モードに切替えた場合には、警備アプリケーションは、ユーザが実際に帰宅しているか否かを確認する注意メッセージを、上記モード切替メッセージ４２に追加して（またはそれに代えて）表示してもよい。その際、警備装置１００が、ユーザ端末２００の位置情報を取得可能であり、ユーザが自宅に存在しないと判断した場合には、例えば「警備が解除されています。注意してください。」といった注意喚起メッセージに対応するモード切替信号をユーザ端末２００へ送信してもよい。
【０１５２】
上述の実施形態においては、切替後の警備モードを基準にモード切替メッセージの内容が設定されていたが、当該切替後の警備モードのみならず、切替前後の２つの警備モードの組み合わせに応じて異なるモード切替メッセージが記憶され表示されてもよい。つまり、切替後の警備モードが同一でも、切替え前の警備モードが異なれば異なるモード切替メッセージが表示されてもよい。
【０１５３】
上述の実施形態においては、ユーザ端末２００の操作画面３０と本体操作部１６０の双方からモード切替操作が可能であることから、警備対象の建物の遠隔に存在するユーザの操作と、建物内に存在するユーザの操作が短時間に重複する場合も考えられ、それにより意図しない異常が発生する可能性もある。そこで、警備装置１００は、そのような重複事象が発生した場合には、建物内部のユーザによる操作である本体操作部１６０の操作を優先させてもよい。すなわち、例えば本体操作部１６０によるモード切替操作が入力されてから所定時間内（例えば１０秒以内、３０秒以内等）は、ユーザ端末２００からの操作を無効としてもよい。この場合、ユーザ端末２００のチャット画面４０上には、本体操作部１６０の操作が優先されている状況であることを示すアラートメッセージが表示されてもよい。
【０１５４】
また、警備装置１００が各ユーザ端末２００の位置情報を取得可能である場合であって、複数のユーザ端末２００から上記所定時間内にモード切替操作に基づく複数の切替要求信号が受信された場合には、警備対象の建物に存在するユーザ端末２００による操作を優先してモード切替処理を実行してもよい。
【０１５５】
本願の特許請求の範囲に記載された発明のうち、「警備方法」と記載された発明は、その各ステップを、ソフトウェアによる情報処理によりコンピュータ等の少なくとも１つの装置が自動的に行うものであり、人間がコンピュータ等の装置を用いて行うものではない。すなわち、当該「警備方法」は、コンピュータ・ソフトウェアによる情報処理方法であって、コンピュータという計算道具を人間が操作する方法ではない。
【符号の説明】
【０１５６】
１１…ＣＰＵ
１８…記憶部
１９…通信部
３０…操作画面
３１…操作メニューボタン
３３…外出警戒モード設定ボタン
３４…警戒解除モード設定ボタン
３５…在宅警戒モード設定ボタン
３６…部分セットモード設定ボタン
３７…部分セットブロック選択ボタン
４０…チャット画面
４１…モード操作メッセージ
４２…モード切替メッセージ
５１…省略メッセージ通知情報
１００…警備装置
１０１…主装置
１１０…制御部
１１２…モード記憶手段
１２０…モード設定部
１６０…操作部
１７０…通信インタフェース
２００…ユーザ端末
３００…センタサーバ
【図１】
2018169663.tif 000003
【図２】
2018169663.tif 000004
【図３】
2018169663.tif 000005
【図４】
2018169663.tif 000006
【図５】
2018169663.tif 000007
【図６】
2018169663.tif 000008
【図７】
2018169663.tif 000009
【図８】
2018169663.tif 000010
【図９】
2018169663.tif 000011
【図１０】
2018169663.tif 000012
【図１１】
2018169663.tif 000013
【図１２】
2018169663.tif 000014
【図１３】
2018169663.tif 000015
【図１４】
2018169663.tif 000016
【図１５】
2018169663.tif 000017
【図１６】
2018169663.tif 000018